(57)【要約】バックライト装置１２は、光出射側へ開口するシャーシ１４と、シャーシ１４内に収容されて複数並列して配される光源である冷陰極管１８と、冷陰極管１８よりも光出射側に配されてシャーシ１４の開口を覆う光学部材１６と、光学部材１６を光出射側とは反対側から支持可能とされ、冷陰極管１８の並列方向に沿って複数並列して配される支持部材２０とを備え、支持部材２０は、光学部材１６に対する支持位置が中央側では冷陰極管１８に相対的に近く、端側では冷陰極管１８から相対的に遠くなるよう形成されているのに対し、冷陰極管１８は、その配列ピッチが中央側では相対的に狭く、端側では相対的に広くなるよう配されている。
2010089929.tif 000002
【特許請求の範囲】
【請求項１】
光出射側へ開口するシャーシと、
前記シャーシ内に収容されて複数並列して配される光源と、
前記光源よりも光出射側に配されて前記シャーシの開口を覆う光学部材と、
前記光学部材を光出射側とは反対側から支持可能とされ、少なくとも前記光源の並列方向に沿って複数並列して配される支持部材とを備え、
前記支持部材は、前記光学部材に対する支持位置が中央側では前記光源に相対的に近く、端側では前記光源から相対的に遠くなるよう形成されているのに対し、前記光源は、その配列ピッチが中央側では相対的に狭く、端側では相対的に広くなるよう配されている照明装置。
【請求項２】
前記光源は、その配列ピッチが中央側から端側に向けて連続的に漸次広くなるよう配されている請求の範囲第１項記載の照明装置。
【請求項３】
前記支持部材は、前記光学部材に対する支持位置が中央側から端側に向けて連続的に漸次、前記光源から遠ざかるよう形成されている請求の範囲第１項または請求の範囲第２項記載の照明装置。
【請求項４】
前記支持部材は、前記光学部材に対する支持位置を結ぶ線が略円弧状の曲線をなすよう形成されている請求の範囲第３項記載の照明装置。
【請求項５】
前記支持部材は、前記光学部材に対する支持位置が隣り合う前記光源の間に配されるよう形成されている請求の範囲第１項から請求の範囲第４項のいずれか１項に記載の照明装置。
【請求項６】
前記支持部材は、前記光学部材に対する支持位置が隣り合う前記光源の間の中央に配されるよう形成されている請求の範囲第５項記載の照明装置。
【請求項７】
前記支持部材は、その配列ピッチが中央側では相対的に狭く、端側では相対的に広くなるよう配されている請求の範囲第１項から請求の範囲第６項のいずれか１項に記載の照明装置。
【請求項８】
前記光学部材は、複数積層して配されている請求の範囲第１項から請求の範囲第７項のいずれか１項に記載の照明装置。
【請求項９】
前記光学部材は、光を拡散させる拡散材を含有するとともに前記支持部材によって直接的に支持可能とされる拡散板と、前記拡散板に対して光出射側に積層される光学シートとから構成され、このうち前記光学シートには、少なくとも集光構造を持つものが含まれている請求の範囲第８項記載の照明装置。
【請求項１０】
前記集光構造は、集光に異方性を有している請求の範囲第９項記載の照明装置。
【請求項１１】
前記集光構造は、多数本並列配置されたシリンドリカルレンズからなる請求の範囲第１０項記載の照明装置。
【請求項１２】
前記集光構造は、前記光学シートの面内に集光方向と、非集光方向とを有しており、
前記光学シートは、矩形状をなすとともにその長辺方向と前記集光方向とが一致している請求の範囲第１０項または請求の範囲第１１項記載の照明装置。
【請求項１３】
前記集光構造は、前記光学シートの面内に集光方向と、非集光方向とを有しており、
前記光学シートは、矩形状をなすとともにその短辺方向と前記集光方向とが一致している請求の範囲第１０項または請求の範囲第１１項記載の照明装置。
【請求項１４】
前記集光構造は、前記光学シートの面内に集光方向と、非集光方向とを有していて、前記集光方向が鉛直方向と一致し、前記非集光方向が水平方向と一致している請求の範囲第１０項から請求の範囲第１３項のいずれか１項に記載の照明装置。
【請求項１５】
前記光源は、前記光学部材の面内において一方向に沿って延在する線状をなし、その軸方向と直交する方向に沿って複数並列して配されている請求の範囲第１項から請求の範囲第１４項のいずれか１項に記載の照明装置。
【請求項１６】
前記光学部材は、集光構造を有する光学シートを備え、前記集光構造が前記光学シートの面内に集光方向と非集光方向とを有しており、
前記光源の並列方向と、前記集光方向とが一致し、且つ前記光源の軸方向と、前記非集光方向とが一致している請求の範囲第１５項記載の照明装置。
【請求項１７】
前記支持部材は、前記光源の並列方向に沿って複数並列するのに加え、前記光源の軸方向に沿って複数並列して配されており、
前記軸方向に沿って並列する前記支持部材は、前記光学部材に対する支持位置が中央側では相対的に光源に近く、端側では相対的に光源から遠くなるよう形成されている請求の範囲第１５項または請求の範囲第１６項記載の照明装置。
【請求項１８】
前記支持部材には、前記光源を保持可能な光源保持部が設けられている請求の範囲第１５項から請求の範囲第１７項のいずれか１項に記載の照明装置。
【請求項１９】
前記光源は、蛍光管とされる請求の範囲第１５項から請求の範囲第１８項のいずれか１項に記載の照明装置。
【請求項２０】
前記光源は、冷陰極管とされる請求の範囲第１９項記載の照明装置。
【請求項２１】
前記光源は、前記光学部材の面内において点状をなしている請求の範囲第１項から請求の範囲第１４項のいずれか１項に記載の照明装置。
【請求項２２】
前記光源は、前記光学部材の面内において二次元的に複数並列するとともに、その配列ピッチが中央側では相対的に狭く、外周端側では相対的に広くなるよう配されている請求の範囲第２１項記載の照明装置。
【請求項２３】
前記支持部材は、前記光学部材の面内において二次元的に複数並列して配されるとともに、前記光学部材に対する支持位置が中央側では相対的に前記光源に近く、外周端側では相対的に前記光源から遠くなるよう形成されている請求の範囲第２２項記載の照明装置。
【請求項２４】
前記光源は、ＬＥＤとされる請求の範囲第２１項から請求の範囲第２３項のいずれか１項に記載の照明装置。
【請求項２５】
前記光学部材の外縁部を保持可能な保持部材が備えられている請求の範囲第１項から請求の範囲第２４項のいずれか１項に記載の照明装置。
【請求項２６】
請求の範囲第１項から請求の範囲第２５項のいずれか１項に記載の照明装置と、前記照明装置からの光を利用して表示を行う表示パネルとを備える表示装置。
【請求項２７】
前記表示パネルは、一対の基板間に液晶を封入してなる液晶パネルとされる請求の範囲第２６項記載の表示装置。
【請求項２８】
請求の範囲第２６項または請求の範囲第２７項に記載された表示装置を備えるテレビ受信装置。
【発明の詳細な説明】
【技術分野】
【０００１】
本発明は、照明装置、表示装置及びテレビ受信装置に関する。
【背景技術】
【０００２】
液晶表示装置は、液晶パネルと、液晶パネルの背面側に設置されるバックライト装置とから構成される。このうち、バックライト装置は、冷陰極管などの光源が収容されるとともに光の出射側の面が開口するシャーシと、シャーシの開口部分に設置されるとともに光源から発せられる光を均一な面状に変換するなどの機能を持つ光学部材とを備える。【０００３】
光学部材には、所定の厚みを持った透明な基材中に、拡散粒子を多数分散して含有させた構成の拡散板が含まれており、その外周端部がシャーシ側の受け部によって受けられて支持がなされる。一方、拡散板のうち外周端部よりも内側の部分については、シャーシに取り付けられた支持部材によって支持される。【０００４】
この種の支持部材の一例として下記特許文献１に記載されたものが知られている。このものは、拡散板側へ突出する支持ピンを有しており、この支持ピンの先端部が拡散板の外周端部よりも内側部分に点状に当接することで、拡散板の支持がなされる。支持部材並びに支持ピンは、拡散板の面内において複数分散して配置されている。
【特許文献１】特開２００７−３３９６２公報
【０００５】
（発明が解決しようとする課題）
ところで、上記した特許文献１に記載されたものでは、下記の理由から拡散板の面内に分散配置した各支持ピンの高さを異ならせるようにしている。すなわち、冷陰極管を点灯または消灯するのに伴い、バックライト装置内の温度環境が変化すると、それに応じて拡散板には熱膨張または熱収縮が生じることになる。熱膨張時に拡散板は、各支持ピンによる支持位置を基点として波打つようにして局所的に変形し、輝度ムラが生じることが懸念されるため、上記特許文献１では、中央側の支持ピンを低く、端側の支持ピンを高くすることで、拡散板を全体として弓形に反らせるようにしており、それにより拡散板に局所的な変形を生じ難くしている。【０００６】
ところが、上記したように中央側の支持ピンを低くすると、弓形に反った拡散板における中央部分と冷陰極管との間の距離が縮まるため、各光学部材を通して冷陰極管の存在（ランプイメージ）が視認し易くなるという問題が生じるおそれがある。それを防ぐには、反った状態の拡散板における中央部分と冷陰極管との間の距離が十分に空くよう、中央側の支持ピンをある程度高い位置に設定することが考えられるのであるが、そうすると、端側の支持ピンを必要以上に高い位置に設定しなければならなくなり、結果としてバックライト装置全体が厚くなってしまうという問題があった。
【発明の開示】
【０００７】
本発明は上記のような事情に基づいて完成されたものであって、輝度ムラを防止するとともに薄型化を図ることを目的とする。
【０００８】
（課題を解決するための手段）
本発明の照明装置は、光出射側へ開口するシャーシと、前記シャーシ内に収容されて複数並列して配される光源と、前記光源よりも光出射側に配されて前記シャーシの開口を覆う光学部材と、前記光学部材を光出射側とは反対側から支持可能とされ、少なくとも前記光源の並列方向に沿って複数並列して配される支持部材とを備え、前記支持部材は、前記光学部材に対する支持位置が中央側では前記光源に相対的に近く、端側では前記光源から相対的に遠くなるよう形成されているのに対し、前記光源は、その配列ピッチが中央側では相対的に狭く、端側では相対的に広くなるよう配されている。
【０００９】
このようにすれば、光学部材に対する支持部材の支持位置を、中央側では光源に相対的に近く、端側では光源から相対的に遠くしているので、熱環境の変化により光学部材が熱膨張したとき、光学部材を全体として大きく光源側に凸に反らせることができる。従って、支持部材によって光学部材が支持された状態で、各支持位置にて作用する応力を緩和することができる。これにより、光学部材が支持部材による各支持位置を基点として局所的に変形するのを抑制することができ、もって輝度ムラを生じ難くすることができる。
【００１０】
ところで、上記のように光学部材が全体として光源側に凸に反ると、中央側においては光源と光学部材との間の距離が縮まるため、光学部材を通して光源の存在が視認され易くなる傾向となる。その点、光源の配列ピッチについて、中央側では相対的に狭くなる設定とし、中央側における光源の分布密度を高くしているので、中央側にて光学部材と光源との間の距離が縮まっても、光源の存在が視認され難くなり、輝度ムラが生じ難くなっている。言い換えると、光学部材に対する支持部材の支持位置を極力光源に近くすることができるので、全体の薄型化を図ることが可能となる。
【００１１】
本発明の実施態様として、次の構成が好ましい。
（１）前記光源は、その配列ピッチが中央側から端側に向けて連続的に漸次広くなるよう配されている。このようにすれば、光学部材の面内において光源の分布密度をなだらかに変化させることができるので、輝度ムラの防止に一層好適となる。
【００１２】
（２）前記支持部材は、前記光学部材に対する支持位置が中央側から端側に向けて連続的に漸次、前記光源から遠ざかるよう形成されている。このようにすれば、熱膨張時に光学部材をなだらかに湾曲した形状に支持することができるので、光学部材に局所的な変形がより生じ難くなり、輝度ムラの防止に一層好適となる。
【００１３】
（３）前記支持部材は、前記光学部材に対する支持位置を結ぶ線が略円弧状の曲線をなすよう形成されている。このようにすれば、熱膨張時において光学部材をよりなだらかに湾曲した形状に支持することができる。
【００１４】
（４）前記支持部材は、前記光学部材に対する支持位置が隣り合う前記光源の間に配されるよう形成されている。このようにすれば、支持部材によって光源からの光が妨げられ難くなるので、輝度ムラの防止により好適となる。
【００１５】
（５）前記支持部材は、前記光学部材に対する支持位置が隣り合う前記光源の間の中央に配されるよう形成されている。このようにすれば、支持部材における光学部材に対する支持位置と隣り合う光源との間の距離がほぼ等しくなるから、輝度ムラの防止に一層好適となる。
【００１６】
（６）前記支持部材は、その配列ピッチが中央側では相対的に狭く、端側では相対的に広くなるよう配されている。このようにすれば、光学部材が熱膨張したとき、端側と比べて中央側により大きな応力が作用する傾向となるが、中央側では支持部材がより多く配されているので、各支持部材に作用する応力を緩和することができる。これにより、支持位置にて光学部材と支持部材との間に擦れが生じ難くなり、軋み音の発生などを抑制することができる。
【００１７】
（７）前記光学部材は、複数積層して配されている。このようにすれば、光学部材が複数積層されたものでは、局所的な変形が生じると、光学的に大きな悪影響が生じるおそれがあるため、有用となる。
【００１８】
（８）前記光学部材は、光を拡散させる拡散材を含有するとともに前記支持部材によって直接的に支持可能とされる拡散板と、前記拡散板に対して光出射側に積層される光学シートとから構成され、このうち前記光学シートには、少なくとも集光構造を持つものが含まれている。このようにすれば、集光構造を持つ光学シートは、局所的な変形が生じると輝度ムラが生じ易いものであるため、特に有用である。
【００１９】
（９）前記集光構造は、集光に異方性を有している。このようにすれば、集光構造の集光に異方性があるものでは、光学シートに局所的な変形が生じると、輝度ムラがより生じ易くなっているため、一層有用である。
【００２０】
（１０）前記集光構造は、多数本並列配置されたシリンドリカルレンズからなる。このようにすれば、シリンドリカルレンズを集光構造としたものに有用となる。
【００２１】
（１１）前記集光構造は、前記光学シートの面内に集光方向と、非集光方向とを有しており、前記光学シートは、矩形状をなすとともにその長辺方向と前記集光方向とが一致している。このようにすれば、矩形状をなす光学シートでは、長辺方向の方が短辺方向よりも熱膨張による寸法変化が大きくなっており、熱膨張により光学シートに支持位置を基点とした局所的な変形が生じると、集光構造における集光方向に影響が及び易くなっているので、特に有用となる。
【００２２】
（１２）前記集光構造は、前記光学シートの面内に集光方向と、非集光方向とを有しており、前記光学シートは、矩形状をなすとともにその短辺方向と前記集光方向とが一致している。このようにすれば、矩形状をなす光学シートでは、長辺方向の方が短辺方向よりも熱膨張による寸法変化が大きくなっている。ところが、光学シートは、その短辺方向と集光方向とが一致しているので、熱膨張が生じても、集光方向について寸法変化が生じ難くなっており、輝度ムラを防ぐことができる。
【００２３】
（１３）前記集光構造は、前記光学シートの面内に集光方向と、非集光方向とを有していて、前記集光方向が鉛直方向と一致し、前記非集光方向が水平方向と一致している。このようにすれば、仮に熱膨張により光学シートに支持位置を基点とした局所的な変形が多少なりとも生じた場合でも、水平方向について輝度ムラが生じることが防がれる。
【００２４】
（１４）前記光源は、前記光学部材の面内において一方向に沿って延在する線状をなし、その軸方向と直交する方向に沿って複数並列して配されている。このようにすれば、線状をなす光源の並列方向に沿って並列された各支持部材により、光学部材を全体として光源側に凸に反らせることができるので、輝度ムラの防止に好適となる。
【００２５】
（１５）前記光学部材は、集光構造を有する光学シートを備え、前記集光構造が前記光学シートの面内に集光方向と非集光方向とを有しており、前記光源の並列方向と、前記集光方向とが一致し、且つ前記光源の軸方向と、前記非集光方向とが一致している。このようにすれば、光源の並列方向、つまり光学シートにおける集光方向について光学シートに局所的な変形が生じ難くなっているから、輝度ムラを効果的に抑制することができる。
【００２６】
（１６）前記支持部材は、前記光源の並列方向に沿って複数並列するのに加え、前記光源の軸方向に沿って複数並列して配されており、前記軸方向に沿って並列する前記支持部材は、前記光学部材に対する支持位置が中央側では相対的に光源に近く、端側では相対的に光源から遠くなるよう形成されている。このようにすれば、光学部材を全体として大きく球面状に反らせることができるので、輝度ムラの防止に一層好適となる。
【００２７】
（１７）前記支持部材には、前記光源を保持可能な光源保持部が設けられている。このようにすれば、支持部材に線状をなす光源を保持する機能を付加することができる。
【００２８】
（１８）前記光源は、蛍光管とされる。このようにすれば、光源として蛍光管を用いるものに好適となる。
【００２９】
（１９）前記光源は、冷陰極管とされる。このようにすれば、光源として冷陰極管を用いるものに好適となる。
【００３０】
（２０）前記光源は、前記光学部材の面内において点状をなしている。このようにすれば、光源として点状をなすものを用いるものに好適となる。
【００３１】
（２１）前記光源は、前記光学部材の面内において二次元的に複数並列するとともに、その配列ピッチが中央側では相対的に狭く、外周端側では相対的に広くなるよう配されている。このようにすれば、光学部材が熱膨張し、その中央側の部分と光源との間の距離が縮まっても、光源の存在が一層視認され難くなり、輝度ムラの防止により好適となる。
【００３２】
（２２）前記支持部材は、前記光学部材の面内において二次元的に複数並列して配されるとともに、前記光学部材に対する支持位置が中央側では相対的に前記光源に近く、外周端側では相対的に前記光源から遠くなるよう形成されている。このようにすれば、光学部材を全体として大きく球面状に反らせることができるのに加え、点状をなす光源が各支持部材による光学部材に対する支持位置に対応して中央側では分布密度が高く、外周端側では分布密度が低くされているので、より一層効果的に輝度ムラを防止することができる。
【００３３】
（２３）前記光源は、ＬＥＤとされる。このようにすれば、光源としてＬＥＤを用いるものに好適となる。
【００３４】
（２４）前記光学部材の外縁部を保持可能な保持部材が備えられている。このようにすれば、光学部材の外縁部を保持部材によって保持すると、光学部材が熱膨張したとき、中央側に集中的に変形が生じ易くなるが、光学部材を全体的に光源側に凸に反らせるようにしているので、光学部材及び支持部材に生じる応力を緩和することができる。
【００３５】
次に、上記課題を解決するために、本発明の表示装置は、上記記載の照明装置と、前記照明装置からの光を利用して表示を行う表示パネルとを備える。
【００３６】
このような表示装置によると、表示パネルに対して光を供給する照明装置に輝度ムラが生じ難い上に薄型化が可能であるため、表示品質を向上させることができるとともに全体の薄型化が可能となる。
【００３７】
前記表示パネルとしては液晶パネルを例示することができる。このような表示装置は液晶表示装置として、種々の用途、例えばテレビやパソコンのディスプレイ等に適用でき、特に大型画面用として好適である。
【００３８】
（発明の効果）
本発明によれば、輝度ムラを防止できるとともに薄型化が可能となる。
【図面の簡単な説明】
【００３９】
【図１】本発明の実施形態１に係るテレビ受信装置の概略構成を示す分解斜視図
【図２】テレビ受信装置に備わる液晶表示装置の概略構成を示す分解斜視図
【図３】バックライト装置の平面図
【図４】レンズシートの平面図
【図５】レンズシートの拡大斜視図
【図６】光学部材が熱膨張する前の状態を示す図３のvi-vi線断面図
【図７】光学部材が熱膨張する前の状態を示す図３のvii-vii線断面図
【図８】光学部材が熱膨張する前の状態を示す図３のviii-viii線断面図
【図９】光学部材が熱膨張する前の状態を示す図３のix-ix線断面図
【図１０】光学部材が熱膨張した状態を示す図３のvi-vi線断面図
【図１１】光学部材が熱膨張した状態を示す図３のvii-vii線断面図
【図１２】光学部材が熱膨張した状態を示す図３のviii-viii線断面図
【図１３】光学部材が熱膨張した状態を示す図３のix-ix線断面図
【図１４】図１２の拡大図
【図１５】本発明の実施形態２に係るバックライト装置の平面図
【図１６】図１５のxvi-xvi線断面図
【図１７】本発明の実施形態３に係るバックライト装置の平面図
【図１８】レンズシートの平面図
【図１９】本発明の実施形態４に係るバックライト装置の平面図
【図２０】図１９のxx-xx線断面図
【図２１】図１９のxxi-xxi線断面図
【図２２】図１９のxxii-xxii線断面図
【図２３】図１９のxxiii-xxiii線断面図
【図２４】本発明の他の実施形態（２０）に係るレンズシートの拡大斜視図
【図２５】本発明の他の実施形態（２０）に係るレンズシートの拡大斜視図
【符号の説明】
【００４０】
１０…液晶表示装置（表示装置）、１１…液晶パネル（表示パネル）、１２…バックライト装置（照明装置）、１４…シャーシ、１６…光学部材、１７…フレーム（保持部材）、１８…冷陰極管（光源、蛍光管）、２０…支持部材、２１…拡散板、２２…光学シート、２２ｂ…レンズシート（集光構造を持つ光学シート）、２２ｂ２…シリンドリカルレンズ（集光構造）、２６ａ…突出先端部（支持位置）、２７…光源保持部、２８…ＬＥＤ（光源）、ＴＶ…テレビ受信装置
【発明を実施するための最良の形態】
【００４１】
＜実施形態１＞
本発明の実施形態１を図１から図１４によって説明する。本実施形態では、液晶表示装置１０について例示する。なお、各図面の一部にはＸ軸、Ｙ軸及びＺ軸を示しており、各軸方向が各図面で示した方向となるように描かれている。このうちＹ軸方向は、鉛直方向（垂直方向）と一致し、Ｘ軸方向は、水平方向と一致している。また、図２に示す上側を表側とし、図２に示す下側を裏側とする。【００４２】
本実施形態に係るテレビ受信装置ＴＶは、図１に示すように、液晶表示装置１０（表示装置）と、当該液晶表示装置１０を挟むようにして収容し液晶表示装置１０を外側から取り囲む表裏一対のキャビネットＣａ，Ｃｂと、電源Ｐと、チューナーＴと、スタンドＳとを備える構成される。液晶表示装置１０は、全体として横長の方形を成し、図２に示すように、平面視矩形をなす表示パネルである液晶パネル１１と、外部光源であるバックライト装置１２（照明装置）とを備え、これらがベゼル１３などにより一体的に保持されるようになっている。【００４３】
液晶表示装置１０を構成する液晶パネル１１は、図２に示すように、平面視矩形状をなしており、透明な（高い透光性を有する）一対のガラス基板が所定のギャップを隔てた状態で貼り合わせられるとともに、両ガラス基板間に液晶層（図示せず）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線及び対向電極などには、図示しない駆動回路基板から画像を表示するのに必要な画像データや各種制御信号が供給されるようになっている。なお、両ガラス基板の外側にはそれぞれ偏光板が配されている。【００４４】
次に液晶表示装置１０を構成するバックライト装置１２の概略について説明する。このバックライト装置１２は、図２に示すように、液晶パネル１１の背面直下に光源が配置されてなる、いわゆる直下型のバックライトであり、表側（光出射側、液晶パネル１１側）に開口した略箱型をなすシャーシ１４と、シャーシ１４内に敷設される反射シート１５と、シャーシ１４の開口部を覆うようにして取り付けられる複数枚の光学部材１６と、光学部材１６を表側から押さえるなどの機能を有するフレーム１７と、シャーシ１４内に並列した状態で収容される複数本の冷陰極管１８（線状をなす光源）と、冷陰極管１８の各端部を遮光するとともに自身が光反射性を備えてなるホルダ１９とを備える。さらに、このバックライト装置１２は、図３に示すように、冷陰極管１８の中央部分を保持する光源保持部２５及び光学部材を裏側から支持可能な支持ピン２６を有する支持部材２０を複数備えている。【００４５】
シャーシ１４は、アルミニウムなどの金属製とされ、図２に示すように、液晶パネル１１と同じく平面視矩形状をなす底板１４ａの外周端から側板が立ち上がった構成とされる。この底板１４ａの長辺方向が各図面のＸ軸方向（水平方向）と一致し、短辺方向が同Ｙ軸方向（鉛直方向）と一致している。反射シート１５は、光の反射性に優れた白色を呈する合成樹脂製とされるとともにシャーシ１４の内面のほぼ全域を覆う形で敷設されていて、冷陰極管１８からの光を光学部材１６側（光出射側）へ反射させる機能を有する。【００４６】
光学部材１６は、シャーシ１４の底板１４ａや液晶パネル１１と同様に平面視矩形状をなし、透光性を有する合成樹脂製とされている。光学部材１６は、冷陰極管１８の表側（光出射側）に、液晶パネル１１の裏側に配されており、つまり、光学部材１６は、冷陰極管１８と液晶パネル１１との間に介在している。従って、冷陰極管１８から発せられた線状の光は、液晶パネル１１に至る過程で光学部材１６を透過されるとともに面状の光に変換されるようになっている。【００４７】
光学部材１６は、最も裏側に位置し冷陰極管１８及び支持部材２０と対向状に配される拡散板２１と、拡散板２１の表側に配される複数枚の光学シート２２とを順次に積層してなる。拡散板２１は、合成樹脂製（例えば、ポリスチレン製）で所定の板厚（例えば、１．５ｍｍ〜２ｍｍ程度）の基材中に、光を拡散させる拡散粒子を多数分散して含有している。また、拡散板２１の軟化温度は、例えば８０度程度とされる。光学シート２２は、上記した拡散板２１と比べると板厚が薄く、互いに異なる種類のものが３枚備えられており、拡散板２１側（裏側）から、拡散シート２２ａ、レンズシート２２ｂ、反射型偏光板２２ｃの順で積層されている。【００４８】
光学シート２２のうち、拡散シート２２ａと反射型偏光板２２ｃとに挟まれたレンズシート２２ｂは、図４及び図５に示すように、基材２２ｂ１の表面に集光構造として凸型のシリンドリカルレンズ２２ｂ２を多数本並列配置してなる、いわゆるレンチキュラーレンズシートとされる。従って、このレンズシート２２ｂは、集光に異方性を有していると言える。シリンドリカルレンズ２２ｂ２は、その光出射面が円弧状をなし且つ断面形状が略かまぼこ形をなすとともに、レンズシート２２ｂの表面においてその長辺方向に沿って延在する形態とされ、その延在方向（軸方向）と直交する方向、つまりレンズシート２２ｂの短辺方向に沿って多数本が並列して配されている。シリンドリカルレンズ２２ｂ２は、レンズシート２２ｂの面内において集光方向と非集光方向とを有しており、このうち集光方向がレンズシート２２ｂの短辺方向（Ｙ軸方向、鉛直方向）と一致し、且つ非集光方向がレンズシート２２ｂの長辺方向（Ｘ軸方向、水平方向）と一致している。【００４９】
フレーム１７は、図２に示すように、液晶パネル１１や光学部材１６の外周縁に沿う枠状をなしている。フレーム１７は、光学部材１６の表側に配されるとともにホルダ１９との間で光学部材１６の外周縁を挟持できるようになっている。また、フレーム１７は、液晶パネル１１を裏側（光出射側とは反対側、液晶パネル１１側とは反対側）から受けることができるようになっており、液晶パネル１１の表側に配されるベゼル１３との間で液晶パネル１１を挟持可能とされる。ベゼル１３は、金属製とされ、フレーム１７と同様に液晶パネル１１の表示領域を取り囲むよう枠状に形成されるとともに、液晶パネル１１の外周縁（非表示領域、額縁部分）を表側から押さえることが可能とされる。【００５０】
冷陰極管１８は、一方向に直線的に延びる形態の線状光源（管状光源）の一種であり、その軸方向をシャーシ１４の長辺方向（Ｘ軸方向）と一致させた姿勢でシャーシ１４内に取り付けられており、合計１２本が互いの軸を略平行にし、且つ互いの間に所定の間隔を空けた状態でシャーシ１４の短辺方向（Ｙ軸方向）に沿って並べられている。従って、冷陰極管１８は、その軸方向が水平方向と一致し、並列方向が鉛直方向と一致した姿勢でシャーシ１４内に収容されていると言える。さらに別言すると、冷陰極管１８は、その軸方向がレンズシート２２ｂにおける非集光方向と一致し、並列方向がレンズシート２２ｂにおける集光方向と一致した姿勢でシャーシ１４内に収容されている（図４参照）。また、冷陰極管１８の両端部には、それぞれゴムホルダ２３が嵌着されている。【００５１】
ホルダ１９は、光の反射性に優れた白色を呈する合成樹脂製とされ、シャーシ１４の短辺方向に沿って延びるとともに、裏側の面が開口した略箱型をなしている。ホルダ１９は、シャーシ１４における長辺方向の両端部に一対取り付けられることで、同位置に並列配置された各冷陰極管１８の端部（非発光部）を一括して覆うことができるようになっている。また、ホルダ１９の表側の面における内端部には、段差部が設けられ、そこに光学部材１６における短辺側の外縁部が載せられるようになっており、上記したフレーム１７との間で光学部材１６を挟持できるようになっている。【００５２】
支持部材２０は、光の反射性に優れた白色を呈する合成樹脂製（例えばポリカーボネート製）とされ、図３に示すように、シャーシ１４の底板１４ａにおける内面において所定の分布でもって二次元的に分散配置されている。詳しくは、支持部材２０は、底板１４ａにおいて合計２４個がジグザグ状に（千鳥状に、互い違いに）配されており、底板１４ａの長辺方向に沿って直線的に４個並ぶ行を４本有し、底板１４ａの短辺方向に沿って直線的に３個並ぶ列を８本有するよう行列状に配置されている。このように支持部材２０をジグザグ状に配置することで、光学部材１６を通して表側から支持部材２０の存在を視認し難くすることができる。これらの支持部材２０は、シャーシ１４の底板１４ａ及び光学部材１６の中心Ｃに対して点対称状に配置されている。行方向（シャーシ１４の長辺方向、Ｘ軸方向）に並ぶ各支持部材２０の配列ピッチは、ほぼ一定となっている。互いに隣り合う行をなす各支持部材２０間の行方向についての距離は、ほぼ一定となっている。なお、各冷陰極管１８は、その軸線方向について離間した４位置にて上記行方向に並ぶ各支持部材２０により保持されることになる。【００５３】
支持部材２０は、シャーシ１４の底板１４ａに沿って延在する略板状の本体部２４を備えている。本体部２４は、平面視略矩形状をなしており、その長辺方向を冷陰極管１８の並列方向（シャーシ１４の短辺方向、Ｙ軸方向）と一致させ、短辺方向を冷陰極管１８の軸方向（シャーシ１４の長辺方向、Ｘ軸方向）と一致させた姿勢で底板１４ａに取り付けられる。本体部２４のうち、表側の面（冷陰極管１８及び光学部材１６側を向いた面）には、図６に示すように、既述した光源保持部２５及び支持ピン２６が設けられているのに対し、裏側の面（シャーシ１４の底板１４ａ側を向いた面）には、支持部材２０をシャーシ１４に対して取り付けるための取付部２７が設けられている。【００５４】
このうち、光源保持部２５は、本体部２４の長辺方向について離間した位置に２つ並んで設置されており、それぞれが異なる冷陰極管１８を保持する。これにより、シャーシ１４の底板１４ａと冷陰極管１８とのＺ軸方向についての位置関係が規定され、冷陰極管１８と底板１４ａとの間の距離を一定に維持することができる。光源保持部２５は、本体部２４から表側へ立ち上がる一対の片持ち状のアーム部を有し、両アーム部間にて冷陰極管１８を弾性的に保持可能とされる。Ｙ軸方向について隣り合う光源保持部２５間の配列ピッチは、シャーシ１４内に並列配置された冷陰極管１８の配列ピッチと一致している（図３）。【００５５】
支持ピン２６は、本体部２４において一対の光源保持部２５の間に配置されている。詳しくは、支持ピン２６は、本体部２４のほぼ中心（長辺方向及び短辺方向について中央位置）に配されており、隣り合う光源保持部２５の間の中央に位置している。つまり、支持ピン２６と隣接する各光源保持部２５との間の距離は、互いにほぼ等しくなっている。支持ピン２６は、突出先端側に行くに連れて径寸法が小さくなる略円錐状をなしており、本体部２４からの突出高さが光源保持部２５よりも高く設定されている。この支持ピン２６における突出先端部２６ａが光学部材１６のうち拡散板２１の裏面に対して当接されることで、拡散板２１を冷陰極管１８に対して表側に離間させ、非接触となる位置に支持できるようになっている。これにより、光学部材１６と冷陰極管１８とのＺ軸方向（光学部材１６の板面と直交する方向）についての位置関係が規定され、光学部材１６と冷陰極管１８との間の距離を一定値以上に維持することができる。逆に言うと、光学部材１６と冷陰極管１８との間の距離が一定値以下とならないよう規制することができる。この支持ピン２６における突出先端部２６ａが光学部材１６に対する支持位置となる。なお、この支持ピン２６は、支持部材２０において最も表側へ高く突出する部位であるから、支持部材２０をシャーシ１４に対して着脱する際には、作業者が把持して着脱操作を行う操作部として利用可能となっている。【００５６】
また、上記した取付部２７は、本体部２４の裏側の面において、上記した光源保持部２５に対して平面視重畳する位置に一対配されている。取付部２７は、本体部２４から裏側へ突出する基部と、基部の突出端から本体部２４側に折り返される一対の係止部とから構成される。取付部２７は、シャーシ１４の底板１４ａに形成された取付孔１４ｂ内に挿入されると、挿入過程では一旦両係止部が弾性変形するものの、完全挿入深さに至ると両係止部が復元するとともにその先端部が取付孔１４ｂの縁部に対して裏側から係止するようになっており、もって支持部材２０をシャーシ１４に対して取付状態に保持できるようになっている。【００５７】
ところで、本実施形態では、支持部材２０による光学部材１６の支持位置及び冷陰極管１８の配列形態について特徴的な構成を有しており、先に支持部材２０による光学部材１６の支持位置について説明する。図３に示すように、シャーシ１４の底板１４ａ及び光学部材１６の面内に二次元的に分散配置された各支持部材２０は、本体部２４からの支持ピン２６の突出高さ、すなわち光学部材１６に対する支持位置が互いに異なるように形成されており、上記面内における中央側ほど相対的に低く、外周端側ほど相対的に高くなっている。詳しくは、支持ピン２６の突出先端部２６ａのＺ軸方向についての高さ位置は、図６〜図９に示すように、底板１４ａ及び光学部材１６の中央側から外周端側に向けて連続的に漸次高くなり、逆に外周端側から中央側に向けて連続的に漸次低くなっている。つまり、本体部２４からの支持ピン２６の突出寸法は、底板１４ａ及び光学部材１６の中心Ｃからの距離に比例する傾向となっており（図３）、その突出先端部２６ａを結んだ線が裏側に凸となる略円弧状をなしている（図６〜図９）。ここで、支持ピン２６の突出先端部２６ａが高いことは、光学部材１６に対する支持位置が冷陰極管１８から遠い（冷陰極管１８までの距離が長い）ことを意味し、逆に支持ピン２６の突出先端部２６ａが低いことは、光学部材１６に対する支持位置が冷陰極管１８に近い（冷陰極管１８までの距離が短い）ことを意味する。そして、光学部材１６の支持位置が低くなると、全体の薄型化には好適となるものの、光学部材１６を通して表側から冷陰極管１８の存在、いわゆるランプイメージが視認され易くなる傾向となって、輝度ムラが生じ易くなる傾向となる。【００５８】
なお、図３及び図６〜図９では、各支持ピン２６の本体部２４からの突出高さを表すため、低いものから順に符号Ｈ１〜Ｈ１２を適宜標すとともに、各支持ピン２６を区別するため、各支持ピン２６の符号に、最も光学部材１６に対する支持位置が低いもの（最も中心Ｃに近いもの）から、最も光学部材１６に対する支持位置が高いもの（最も中心Ｃから遠いもの）の順で添え字‐１〜‐１２を付すようにしている。【００５９】
詳細には、図３に示すように、行列状に配置された支持部材２０のうち、所定の列をなす（Ｙ軸方向に沿って並んだ）各支持部材２０の支持ピン２６は、Ｘ軸方向に沿い中心Ｃを通る線Ｌ１に対して近いものほど光学部材１６に対する支持位置が低く、遠いものほど光学部材１６に対する支持位置が高くなるよう形成されている。一方、所定の行をなす（Ｘ軸方向に沿って並んだ）各支持部材２０の支持ピン２６は、Ｙ軸方向に沿い中心Ｃを通る線Ｌ２に対して近いものほど光学部材１６に対する支持位置が低く、遠いものほど光学部材１６に対する支持位置が高くなるよう形成されている。このうち、光学部材１６に対する支持位置が最も高い支持ピン２６‐１２は、図７に示すように、熱の影響による変形が生じていなくてＸ軸方向及びＹ軸方向に沿ってほぼ真っ直ぐな形状とされた拡散板２１の裏面に届かず、非接触となる突出高さを有している。従って、各支持部材２０の支持ピン２６の突出先端部２６ａと、ほぼ真っ直ぐな形状の拡散板２１との間には、所定の隙間が確保されており、その隙間の範囲内で拡散板２１が反り変形するのが許容されている。この隙間は、拡散板２１の中央側ほど広く、拡散板２１の外周端側ほど狭くなっているので、拡散板２１は、裏側に凸に反ることが可能となっている。【００６０】
続いて、冷陰極管１８の配列形態について説明する。Ｙ軸方向に沿って並列配置された冷陰極管１８は、図３に示すように、その配列ピッチが設置位置に応じて異なる設定とされており、シャーシ１４の底板１４ａ及び光学部材１６の面内における中央側ほど相対的に狭く、Ｙ軸方向の端側ほど相対的に広くなっていて、グラデーション状に不等ピッチ配列されている。詳しくは、冷陰極管１８の配列ピッチは、上記面内の中央側からＹ軸方向の端側に向けて連続的に漸次広くなり、逆にＹ軸方向の端側から中央側に向けて連続的に漸次狭くなっている。つまり、冷陰極管１８の配列ピッチは、底板１４ａ及び光学部材１６の中心Ｃからの距離に比例する傾向となっている。各冷陰極管１８は、Ｘ軸方向に沿い中心Ｃを通る線Ｌ１を中心線とした線対称配置となっている。ここで、冷陰極管１８の配列ピッチが狭いことは、光学部材１６の面内における冷陰極管１８の分布密度並びに輝度が相対的に高いことを意味し、冷陰極管１８の配列ピッチが広いことは、光学部材１６の面内における冷陰極管１８の分布密度並びに輝度が相対的に低いことを意味する。そして、冷陰極管１８の配列ピッチを狭くすると、冷陰極管１８間の間隔が縮小するため、発光部位である冷陰極管１８と、非発光部位である冷陰極管１８間の空間との輝度差に起因する輝度ムラが視認され難くなる傾向となるものの、冷陰極管１８の設置本数が増加し、コストが増加する傾向となる。なお、図３では、冷陰極管１８の配列ピッチを区別するため、狭いものから順に符号ＰＴ１〜ＰＴ６を標すものとする。【００６１】
上記した構成によれば、支持部材２０による光学部材１６の支持位置が相対的に低い中央側では、冷陰極管１８の配列ピッチが相対的に狭くなっているのに対し、支持部材２０による光学部材１６の支持位置が相対的に高い端側では、冷陰極管１８の配列ピッチが相対的に広くなっている。そして、本実施形態では、上記のように光学部材１６の支持位置に対応して冷陰極管１８の配列ピッチを変化させることにより、光学部材１６における支持位置と冷陰極管１８との間の距離を、冷陰極管１８の配列ピッチで割ることで得られる比率が、所定の基準数値範囲内に収まるような設定としている。上記比率を基準数値範囲の下限値以上とすることで、光学部材１６の面内において輝度ムラが生じ難くなり、基準数値範囲の上限値以下とすることで、全体を極力薄型化することができるとともに、冷陰極管１８の設置本数を極力少なくすることができるのである。【００６２】
ところで、列をなす各支持部材２０、つまり冷陰極管１８の並列方向に沿って並ぶ各支持部材２０におけるＹ軸方向についての配列ピッチは、上記した冷陰極管１８の配列ピッチに合わせて中央側と端側とで相違しており、中央側ほど狭く、端側ほど広くなる傾向となっている。詳しくは、各支持部材２０におけるＹ軸方向についての配列ピッチは、中央側から端側に向けて連続的に漸次狭くなり、端側から中央側に向けて連続的に漸次広くなるよう設定されている。これにより、Ｙ軸方向について支持ピン２６の分布密度を中央側が相対的に高く、端側が相対的に低くなっている。ここで、支持部材２０の配列ピッチとは、Ｙ軸方向について隣り合う支持部材２０における中心、つまりＹ軸方向について隣り合う支持ピン２６間の距離のことを言う。なお、各支持部材２０の本体部２４における長辺寸法は、シャーシ１４内の設置位置に応じて異なっており、Ｙ軸方向について中央側ほど小さく、端側ほど大きくなっている。また、各本体部２４における光源保持部２５の設置位置についても、シャーシ１４内の設置位置に応じて異なっている。【００６３】
本実施形態は以上のような構造であり、続いてその作用を説明する。常温環境下においては、拡散板２１は、図６〜図９に示すように、Ｘ軸方向及びＹ軸方向に沿ってほぼ真っ直ぐな形状となっており、その表側に積層された各光学シート２２も同様にほぼ真っ直ぐな形状となっている。この状態では、拡散板２１の裏面と各支持部材２０の支持ピン２６との間には、所定の隙間が保有されており、その隙間は、既述した通り中央側ほど大きく、外周端側ほど小さくなる傾向となっている。【００６４】
液晶表示装置１０を使用する際には、バックライト装置１２内の冷陰極管１８を点灯または消灯させるなどするため、内部の温度環境に変化が生じる。このとき、バックライト装置１２の内部空間は、熱源として冷陰極管１８を多数本有しているため、外部空間と比べると、高温になりやすくなっている。このため、拡散板２１の裏側が相対的に高温になるのに対し、拡散板２１の表側が相対的に低温となって温度差が生じ、それに起因して拡散板２１が熱膨張する際に反り変形する場合がある。その場合でも、拡散板２１と各支持ピン２６との間には、上記したように隙間が保有されているので、その隙間の範囲内で拡散板２１の反り変形が許容されている。このとき、拡散板２１の中央側では、支持ピン２６との間の隙間が大きく、外周端側では、支持ピン２６との間の隙間が小さくなっているので、図１０〜図１３に示すように、拡散板２１を全体的に大きく冷陰極管１８側に凸に反らせることができる。詳しくは、拡散板２１は、各支持ピン２６の突出先端部２６ａを結んだ線に沿って二次元的には略円弧状（弓形）に、三次元的には略球面状になだらかに湾曲する。これに伴い、拡散板２１上に積層配置された各光学シート２２も拡散板２１に追従して同様の形状に反り変形される。【００６５】
そして、拡散板２１は、各支持ピン２６の突出先端部２６ａに当接することで、それ以上裏側へ変位する、つまりそれ以上冷陰極管１８に接近するのが規制される。このとき、各支持ピン２６の突出先端部２６ａが拡散板２１に当接することで、支持ピン２６及び拡散板２１には応力が生じ得るが、予め熱膨張の初期段階において拡散板２１が大きく凸に反り変形させられているため、上記応力が生じてもごく僅かなものに緩和されている。各支持ピン２６の突出先端部２６ａが拡散板２１に当接した状態から、さらに拡散板２１が熱膨張した場合には、図１４に示すように、拡散板２１は、各支持ピン２６による支持位置を基点として局所的に変形する場合があるが、やはり予め熱膨張の初期段階において拡散板２１が大きく凸に反り変形させられているため、その局所的な変形もごく僅かなものに緩和されている。この拡散板２１上に積層された各光学シート２２についても、熱膨張の初期段階において拡散板２１と同様の形状に大きく反り変形させられていて局所的な変形の発生が抑制されている。特に、光学シート２２のうち光学的な異方性が顕著なレンズシート２２ｂにおいては、局所的な変形量が大きいと、面内における出射光の分布に偏りが生じ易い傾向にあることから、局所的な変形を抑制することで輝度ムラの発生が効果的に抑制されている。従って、各冷陰極管１８から発せられた線状の光は、拡散板２１及び各光学シート２２を透過する過程で、その面内に偏りがなくほぼ均一な面状の光に変換されるようになっており、その後液晶パネル１１へ向けて出射させられる。これにより、光学部材１６が熱膨張しても輝度ムラが生じ難くなっている。【００６６】
ところで、上記したように拡散板２１の中央側では、支持部材２０による支持位置が外周端側よりも相対的に低くなっており、冷陰極管１８と光学部材１６との間の距離が小さくなっている。冷陰極管１８と光学部材１６との間の距離が小さくなると、光学部材１６を通してランプイメージが視認され易くなる傾向となる。ところが、本実施形態では、Ｙ軸方向に並列する冷陰極管１８の配列ピッチについて、中央側が端側よりも相対的に狭くなっており、中央側における冷陰極管１８の分布密度が相対的に高くなっているので、中央側において冷陰極管１８と光学部材１６との間の距離が縮まっても、ランプイメージが視認され難くなっている。これにより、支持部材２０による光学部材１６の支持位置を極力低く設定した場合であっても、輝度ムラを効果的に防止することができる。逆に言うと、冷陰極管１８を上記のような配列とすることで、支持部材２０による光学部材１６の支持位置を、限界を超えて低くすることが可能となり、これによりバックライト装置１２並びに液晶表示装置１０の薄型化を実現することができる。【００６７】
以上説明したように本実施形態のバックライト装置１２は、光出射側へ開口するシャーシ１４と、シャーシ１４内に収容されて複数並列して配される光源である冷陰極管１８と、冷陰極管１８よりも光出射側に配されてシャーシ１４の開口を覆う光学部材１６と、光学部材１６を光出射側とは反対側から支持可能とされ、冷陰極管１８の並列方向に沿って複数並列して配される支持部材２０とを備え、支持部材２０は、光学部材１６に対する支持位置が中央側では冷陰極管１８に相対的に近く、端側では冷陰極管１８から相対的に遠くなるよう形成されているのに対し、冷陰極管１８は、その配列ピッチが中央側では相対的に狭く、端側では相対的に広くなるよう配されている。【００６８】
このようにすれば、光学部材１６に対する支持部材２０の支持位置を、中央側では冷陰極管１８に相対的に近く、端側では冷陰極管１８から相対的に遠くしているので、熱環境の変化により光学部材１６が熱膨張したとき、光学部材１６を全体として大きく冷陰極管１８側に凸に反らせることができる。従って、支持部材２０によって光学部材１６が支持された状態で、各支持位置にて作用する応力を緩和することができる。これにより、光学部材１６が支持部材２０による各支持位置を基点として局所的に変形するのを抑制することができ、もって輝度ムラを生じ難くすることができる。【００６９】
ところで、上記のように光学部材１６が全体として冷陰極管１８側に凸に反ると、中央側においては冷陰極管１８と光学部材１６との間の距離が縮まるため、光学部材１６を通して冷陰極管１８の存在が視認され易くなる傾向となる。その点、冷陰極管１８の配列ピッチについて、中央側では相対的に狭くなる設定とし、中央側における冷陰極管１８の分布密度を高くしているので、中央側にて光学部材１６と冷陰極管１８との間の距離が縮まっても、冷陰極管１８の存在が視認され難くなり、輝度ムラが生じ難くなっている。言い換えると、光学部材１６に対する支持部材２０の支持位置を極力冷陰極管１８に近くすることができるので、全体の薄型化を図ることが可能となる。【００７０】
また、冷陰極管１８は、その配列ピッチが中央側から端側に向けて連続的に漸次広くなるよう配されている。このようにすれば、光学部材１６の面内において冷陰極管１８の分布密度をなだらかに変化させることができるので、輝度ムラの防止に一層好適となる。【００７１】
また、支持部材２０は、光学部材１６に対する支持位置が中央側から端側に向けて連続的に漸次、冷陰極管１８から遠ざかるよう形成されている。このようにすれば、熱膨張時に光学部材１６をなだらかに湾曲した形状に支持することができるので、光学部材１６に局所的な変形がより生じ難くなり、輝度ムラの防止に一層好適となる。【００７２】
また、支持部材２０は、光学部材１６に対する支持位置を結ぶ線が略円弧状の曲線をなすよう形成されている。このようにすれば、熱膨張時において光学部材１６をよりなだらかに湾曲した形状に支持することができる。【００７３】
また、支持部材２０は、光学部材１６に対する支持位置が隣り合う冷陰極管１８の間に配されるよう形成されている。このようにすれば、支持部材２０によって冷陰極管１８からの光が妨げられ難くなるので、輝度ムラの防止により好適となる。【００７４】
また、支持部材２０は、光学部材１６に対する支持位置が隣り合う冷陰極管１８の間の中央に配されるよう形成されている。このようにすれば、支持部材２０における光学部材１６に対する支持位置と隣り合う冷陰極管１８との間の距離がほぼ等しくなるから、輝度ムラの防止に一層好適となる。【００７５】
また、支持部材２０は、その配列ピッチが中央側では相対的に狭く、端側では相対的に広くなるよう配されている。このようにすれば、光学部材１６が熱膨張したとき、端側と比べて中央側により大きな応力が作用する傾向となるが、中央側では支持部材２０がより多く配されているので、各支持部材２０に作用する応力を緩和することができる。これにより、支持位置にて光学部材１６と支持部材２０との間に擦れが生じ難くなり、軋み音の発生などを抑制することができる。【００７６】
また、光学部材１６は、複数積層して配されている。このようにすれば、光学部材１６が複数積層されたものでは、局所的な変形が生じると、光学的に大きな悪影響が生じるおそれがあるため、有用となる。【００７７】
また、光学部材１６は、光を拡散させる拡散材を含有するとともに支持部材２０によって直接的に支持可能とされる拡散板２１と、拡散板２１に対して光出射側に積層される光学シート２２とから構成され、このうち光学シート２２には、少なくとも集光構造を持つレンズシート２２ｂが含まれている。このようにすれば、集光構造を持つレンズシート２２ｂは、局所的な変形が生じると輝度ムラが生じ易いものであるため、特に有用である。【００７８】
また、上記集光構造は、集光に異方性を有している。このようにすれば、集光構造の集光に異方性があるものでは、レンズシート２２ｂに局所的な変形が生じると、輝度ムラがより生じ易くなっているため、一層有用である。【００７９】
また、上記集光構造は、多数本並列配置されたシリンドリカルレンズ２２ｂ２からなる。このようにすれば、シリンドリカルレンズ２２ｂ２を集光構造としたものに有用となる。【００８０】
また、上記集光構造は、レンズシート２２ｂの面内に集光方向と、非集光方向とを有しており、レンズシート２２ｂは、矩形状をなすとともにその短辺方向と集光方向とが一致している。このようにすれば、矩形状をなすレンズシート２２ｂでは、長辺方向の方が短辺方向よりも熱膨張による寸法変化が大きくなっている。ところが、レンズシート２２ｂは、その短辺方向と集光方向とが一致しているので、熱膨張が生じても、集光方向について寸法変化が生じ難くなっており、輝度ムラを防ぐことができる。【００８１】
また、上記集光構造は、レンズシート２２ｂの面内に集光方向と、非集光方向とを有していて、集光方向が鉛直方向と一致し、非集光方向が水平方向と一致している。このようにすれば、仮に熱膨張によりレンズシート２２ｂに支持位置を基点とした局所的な変形が多少なりとも生じた場合でも、水平方向について輝度ムラが生じることが防がれる。【００８２】
また、冷陰極管１８は、光学部材１６の面内において一方向に沿って延在する線状をなし、その軸方向と直交する方向に沿って複数並列して配されている。このようにすれば、線状をなす冷陰極管１８の並列方向に沿って並列された各支持部材２０により、光学部材１６を全体として冷陰極管１８側に凸に反らせることができるので、輝度ムラの防止に好適となる。【００８３】
また、光学部材１６は、集光構造を有する光学シート２２としてレンズシート２２ｂを備え、集光構造がレンズシート２２ｂの面内に集光方向と非集光方向とを有しており、冷陰極管１８の並列方向と、集光方向とが一致し、且つ冷陰極管１８の軸方向と、非集光方向とが一致している。このようにすれば、冷陰極管１８の並列方向、つまりレンズシート２２ｂにおける集光方向についてレンズシート２２ｂに局所的な変形が生じ難くなっているから、輝度ムラを効果的に抑制することができる。【００８４】
また、支持部材２０は、冷陰極管１８の並列方向に沿って複数並列するのに加え、冷陰極管１８の軸方向に沿って複数並列して配されており、軸方向に沿って並列する支持部材２０は、光学部材１６に対する支持位置が中央側では相対的に冷陰極管１８に近く、端側では相対的に冷陰極管１８から遠くなるよう形成されている。このようにすれば、光学部材１６を全体として大きく球面状に反らせることができるので、輝度ムラの防止に一層好適となる。【００８５】
また、支持部材２０には、冷陰極管１８を保持可能な光源保持部２５が設けられている。このようにすれば、支持部材２０に線状をなす冷陰極管１８を保持する機能を付加することができる。【００８６】
また、光学部材１６の外縁部を保持可能なフレーム１７が備えられている。このようにすれば、光学部材１６の外縁部を保持部材によって保持すると、光学部材１６が熱膨張したとき、中央側に集中的に変形が生じ易くなるが、光学部材１６を全体的に冷陰極管１８側に凸に反らせるようにしているので、光学部材１６及び支持部材２０に生じる応力を緩和することができる。【００８７】
＜実施形態２＞
本発明の実施形態２を図１５または図１６によって説明する。この実施形態２では、支持部材２０Ａの配列形態を変更したものを示す。なお、この実施形態２では、上記した実施形態１と同様の部位には、同一の符号を用いるとともにその末尾に添え字Ａを付すものとし、構造、作用及び効果について重複する説明は省略する。【００８８】
支持部材２０Ａは、図１５及び図１６に示すように、Ｙ軸方向（シャーシ１４Ａの短辺方向）についての配列ピッチが中央側ほど相対的に狭く、端側ほど相対的に広くなるよう配置されているのに加え、Ｘ軸方向（底板１４ａＡの長辺方向）についての配列ピッチＳＰＴ１，ＳＰＴ２が中央側ほど相対的に狭く、端側ほど相対的に広くなる配置とされている。つまり、底板１４ａＡ及び光学部材１６Ａの面内において二次元的に並列配置された支持部材２０Ａは、配列ピッチが中央ほど相対的に狭く、外周端側ほど相対的に広くよう配されている。これにより、光学部材１６Ａの面内における支持ピン２６Ａの分布密度は、中央側が外周端側よりも高くなっているので、光学部材１６Ａの中央側の部位を支持する各支持ピン２６Ａに作用する応力を分散させることができる。ここで、光学部材１６Ａのうち中央側の部位は、フレーム１７Ａなどによって保持・拘束される外周端側の部位と比べると、熱膨張による寸法変化がより生じ易い部位となっており、より大きな応力が作用しがちとなっている。従って、上記のように中央側の支持ピン２６Ａに作用する応力を分散させることで、応力に起因して拡散板２１Ａと支持ピン２６Ａとの間に擦れが生じたり、軋み音が発生するのを効果的に抑制することができる。【００８９】
＜実施形態３＞
本発明の実施形態３を図１７または図１８によって説明する。この実施形態３では、バックライト装置１２Ｂの使用形態や冷陰極管１８Ｂ及び支持部材２０Ｂの配列形態などを変更したものを示す。なお、この実施形態３では、上記した実施形態１と同様の部位には、同一の符号を用いるとともにその末尾に添え字Ｂを付すものとし、構造、作用及び効果について重複する説明は省略する。【００９０】
このバックライト装置１２Ｂは、図１７に示すように、シャーシ１４Ｂの長辺方向を鉛直方向（Ｙ軸方向）と一致させ、シャーシ１４Ｂの短辺方向を水平方向（Ｘ軸方向）と一致させた形態で使用されるようになっている。このシャーシ１４Ｂ内に収容される冷陰極管１８Ｂは、その軸方向をシャーシ１４Ｂの短辺方向と一致させた姿勢とされるとともに、シャーシ１４Ｂの長辺方向に沿って合計１２本が並列配置されている。冷陰極管１８Ｂは、その配列ピッチがシャーシ１４Ｂの長辺方向における中央側ほど狭く、端側ほど広くなるよう配され、グラデーション状に不等ピッチ配列されている。支持部材２０Ｂは、シャーシ１４Ｂの底板１４ａＢの面内においてジグザグ状に分散配置されており、シャーシ１４Ｂの短辺方向に沿って直線的に３個並ぶ行を６本有し、シャーシ１４Ｂの長辺方向に沿って直線的に３個並ぶ列を８本有している。この支持部材２０Ｂについても、上記冷陰極管１８Ｂと同様の配列ピッチをもってグラデーション状に不等ピッチ配列されている。【００９１】
ところで、矩形状をなす光学部材１６Ｂにおいては、熱膨張や熱収縮による寸法変化が短辺方向よりも長辺方向の方が大きくなる傾向とされる。このため、光学部材１６Ｂは、各支持部材２０Ｂの支持ピン２６Ｂによって支持された状態で熱膨張し、各支持位置を基点として局所的な変形が生じると、短辺方向よりも長辺方向の方がその変形量が大きくなり易い。その点、本実施形態では、線状をなす冷陰極管１８Ｂを光学部材１６Ｂの長辺方向に沿って並列配置し、その分布密度を長辺方向の中央側ほど高くしているので、光学部材１６Ｂのうち長辺方向の中央側において変形量が大きくなっても輝度ムラを効果的に抑制することができる。【００９２】
さらには、光学部材１６Ｂを構成するレンズシート２２ｂＢは、図１８に示すように、集光構造であるシリンドリカルレンズ２２ｂ２Ｂの軸方向を当該レンズシート２２ｂＢの短辺方向（冷陰極管１８Ｂの軸方向）と一致させている。つまり、レンズシート２２ｂＢは、その長辺方向と集光方向が一致し、短辺方向と非集光方向とが一致する構成とされる。このレンズシート２２ｂＢは、上記した通り熱膨張や熱収縮による寸法変化及びそれに伴う変形量が短辺方向よりも長辺方向の方が大きい傾向にあるのに加え、長辺方向について変形が生じると、集光方向に影響が及び、例えば非変形領域と変形領域との間や異なる変形領域間で集光方向にばらつきが生じるおそれがある。その点、本実施形態では、上記した通り、冷陰極管１８Ｂの分布密度について長辺方向の中央側ほど高くしているので、集光方向に多少ばらつきが生じても輝度ムラを抑制することができる。【００９３】
以上説明したように本実施形態によれば、レンズシート２２ｂＢの集光構造は、その面内に集光方向と、非集光方向とを有しており、レンズシート２２ｂＢは、矩形状をなすとともにその長辺方向と集光方向とが一致している。このようにすれば、矩形状をなすレンズシート２２ｂＢでは、長辺方向の方が短辺方向よりも熱膨張による寸法変化が大きくなっており、熱膨張によりレンズシート２２ｂＢに支持位置を基点とした局所的な変形が生じると、集光構造における集光方向に影響が及び易くなっているので、特に有用となる。【００９４】
＜実施形態４＞
本発明の実施形態４を図１９から図２３によって説明する。この実施形態４では、光源をＬＥＤ２８に変更したものを示す。なお、この実施形態４では、上記した実施形態１と同様の部位には、同一の符号を用いるとともにその末尾に添え字Ｃを付すものとし、構造、作用及び効果について重複する説明は省略する。【００９５】
このバックライト装置１２Ｃは、図１９に示すように、光学部材１６Ｃの面内（光出射面内）において点状をなす光源としてＬＥＤ２８（Light Emitting Diode：発光ダイオード）を備える。ＬＥＤ２８は、ＬＥＤ基板２９上に実装されるとともに、Ｒ（赤色）、Ｇ（緑色）、Ｂ（青色）を単色発光する３つのＬＥＤチップ（図示せず）を内蔵していて全体として白色発光が可能とされる。ＬＥＤ基板２９は、Ｘ軸方向を長辺と一致させた矩形状をなすとともに、シャーシ１４Ｃ内においてＸ軸方向及びＹ軸方向にそれぞれ３枚ずつ行列配置されている。ＬＥＤ２８は、シャーシ１４Ｃの底板１４ａＣ及び光学部材１６Ｃの面内において多数が二次元的に並列されていて、その配列ピッチが中央側ほど相対的に狭く、外周端側ほど相対的に広くなるよう配されている。ＬＥＤ２８の配列ピッチは、中央側から外周端側に向けて連続的に漸次広くなり、外周端側から中央側に向けて連続的に漸次狭くなっている。これにより、底板１４ａＣ及び光学部材１６Ｃの面内におけるＬＥＤ２８の分布密度は、中央側が高く、外周端側が低くなっている。【００９６】
詳しくは、ＬＥＤ２８は、各ＬＥＤ基板２９上にてジグザグ状に配置されているのであるが、その配列パターンはシャーシ１４Ｃにおける各ＬＥＤ基板２９の設置位置に応じて異なっている。すなわち、シャーシ１４Ｃの中央に配されたＬＥＤ基板２９は、その中心がシャーシ１４Ｃの中心ＣＣと一致しているため、そこに実装されるＬＥＤ２８は、配列ピッチがＬＥＤ基板２９の中心側ほど狭く、ＬＥＤ基板２９の外周端側ほど広くなる傾向とされる。一方、上記中央のＬＥＤ基板２９を取り囲む外周端側のＬＥＤ基板２９上に実装されるＬＥＤ２８は、そのＬＥＤ基板２９とシャーシ１４Ｃの中心ＣＣとの相対的な位置関係に応じた配列とされており、具体的にはＬＥＤ基板２９のうち中心ＣＣに近い外端側ほど配列ピッチが狭く、中心ＣＣから遠い外端側ほど配列ピッチが広くなっている。以上によりＬＥＤ２８は、底板１４ａＣ及び光学部材１６Ｃの中心ＣＣから放射状に配置されるとともに、その配列ピッチは、底板１４ａＣ及び光学部材１６Ｃの中心ＣＣからの距離に概ね比例している。【００９７】
続いて、支持部材２０Ｃについて説明する。本実施形態では、光源としてＬＥＤ基板２９に実装されるＬＥＤ２８を用いているため、支持部材２０Ｃに光源保持機能を持たせる必要はない。従って、本実施形態にかかる支持部材２０Ｃは、上記実施形態１〜３にて示した支持部材２０から光源保持部２５を除去したような構成とされる。すなわち、支持部材２０Ｃは、シャーシ１４Ｃの底板１４ａＣに沿って延在する本体部２４Ｃと、本体部２４Ｃの表側の面から突出する支持ピン２６Ｃと、本体部２４Ｃの裏側の面から突出する取付部２７Ｃとからなる。支持部材２０Ｃは、各ＬＥＤ基板２９における対角位置に一対ずつ配置されている。つまり、各支持部材２０Ｃは、シャーシ１４Ｃの底板１４ａＣ及び光学部材１６Ｃの面内において二次元的に並列されている。そして、各支持部材２０Ｃは、図２０〜図２３に示すように、本体部２４Ｃからの支持ピン２６Ｃの突出寸法が上記面内の中央側ほど相対的に低く、外周端側ほど相対的に高くなるよう形成されている。詳しくは、支持ピン２６Ｃの突出寸法は、底板１４ａＣ及び光学部材１６Ｃの中央側から外周端側に向けて連続的に漸次大きくなり、逆に外周端側から中央側に向けて連続的に漸次小さくなっており、中心ＣＣからの距離に比例する傾向とされる。なお、取付部２７Ｃは、ＬＥＤ基板２９を貫通してシャーシ１４Ｃの底板１４ａＣの取付孔に挿入されることで、シャーシ１４Ｃに対して支持部材２０Ｃ及びＬＥＤ基板２９を取付状態に保持可能とされる。【００９８】
上記した構成によれば、支持部材２０Ｃによる光学部材１６Ｃの支持位置が相対的に低い中央側では、ＬＥＤ２８の配列ピッチが相対的に狭くなっているのに対し、支持部材２０Ｃによる光学部材１６Ｃの支持位置が相対的に高い外周端側では、ＬＥＤ２８の配列ピッチが相対的に広くなっている。つまり、本実施形態では、支持部材２０Ｃによる光学部材１６Ｃに対する支持位置と、ＬＥＤ２８の配列ピッチとを対応付けて光学部材１６Ｃの面内において二次元的に変化させ、光学部材１６Ｃの面内の全領域において上記支持位置とＬＥＤ２８の配列ピッチとの関係が最適化されているので、光学部材１６Ｃが熱膨張によってＬＥＤ２８側に凸となる球面状に反り変形し、各ＬＥＤ２８と光学部材１６Ｃとの間の距離が各ＬＥＤ２８毎に異なる場合でも、光学部材１６Ｃの面内の全領域において輝度ムラが一層効果的に防止されている。【００９９】
以上説明したように本実施形態によれば、光源は、光学部材１６Ｃの面内において点状をなすＬＥＤ２８とされる。このようにすれば、光源として点状をなすＬＥＤ２８を用いるものに好適となる。【０１００】
また、ＬＥＤ２８は、光学部材１６Ｃの面内において二次元的に複数並列するとともに、その配列ピッチが中央側では相対的に狭く、外周端側では相対的に広くなるよう配されている。このようにすれば、光学部材１６Ｃが熱膨張し、その中央側の部分とＬＥＤ２８との間の距離が縮まっても、ＬＥＤ２８の存在が一層視認され難くなり、輝度ムラの防止により好適となる。【０１０１】
また、支持部材２０Ｃは、光学部材１６Ｃの面内において二次元的に複数並列して配されるとともに、光学部材１６Ｃに対する支持位置が中央側では相対的にＬＥＤ２８に近く、外周端側では相対的にＬＥＤ２８から遠くなるよう形成されている。このようにすれば、光学部材１６Ｃを全体として大きく球状に反らせることができるのに加え、点状をなすＬＥＤ２８が各支持部材２０Ｃによる光学部材１６に対する支持位置に対応して中央側では分布密度が高く、外周端側では分布密度が低くされているので、より一層効果的に輝度ムラを防止することができる。【０１０２】
＜他の実施形態＞
本発明は上記記述及び図面によって説明した実施形態に限定されるものではなく、例えば次のような実施形態も本発明の技術的範囲に含まれる。【０１０３】
（１）上記した各実施形態では、支持部材による光学部材に対する支持位置について、中央側から端側に向けて連続的に漸次高くなる設定としたものを示したが、支持部材による光学部材に対する支持位置が中央側から端側に向けて段階的に逐次高くなる設定としたものも本発明に含まれる。【０１０４】
（２）上記した実施形態１〜３では、冷陰極管の並列方向に沿って並ぶ支持部材による光学部材に対する支持位置を変化させるとともに、冷陰極管の軸方向に沿って並ぶ支持部材による光学部材に対する支持位置をも変化させたものを示したが、冷陰極管の軸方向に沿って並ぶ支持部材については、光学部材に対する支持位置を一定としてもよい。その場合でも、冷陰極管の並列方向における中央側においては、支持位置が最も低くなっているので、光学部材の局所的な変形を緩和することができ、且つ同中央側においては冷陰極管の分布密度が最も高くなっているので、輝度ムラを抑制することができる。【０１０５】
（３）上記した実施形態１，２では、光源保持部を有する支持部材を用いたものを示したが、実施形態４にて示したような光源保持部を除去した支持部材を用いてもよい。また、光源保持部を有する支持部材と、光源保持部を有さない支持部材との双方を用いるようにしても構わない。【０１０６】
（４）上記した各実施形態では、支持部材がシャーシの面内において二次元的に並列配置されたものを示したが、支持部材が一方向に沿ってのみ並列配置されたものも本発明に含まれる。具体的には、実施形態１〜３の変形例として、冷陰極管の並列方向に沿ってのみ支持部材を複数並列させ、冷陰極管の軸方向には支持部材が並列しない配置とすることができる。また、実施形態４の変形例として、Ｘ軸方向に沿ってのみ支持部材を複数並列させたり、逆にＹ軸方向に沿ってのみ支持部材を複数並列させることができる。【０１０７】
（５）上記した各実施形態では、支持部材がシャーシの面内において行列状に規則的に配置されたものを示したが、支持部材がシャーシの面内において不規則に配置されたものも本発明に含まれる。【０１０８】
（６）上記した各実施形態では、光学部材に対する支持位置が最も高い（光源から最も遠い）支持ピンであっても、常温環境下でほぼ真っ直ぐな形状とされた拡散板の裏面には届かず非接触とされるものを示したが、上記最も高い支持ピンを、常温環境下でほぼ真っ直ぐな形状とされた拡散板の裏面に当接させる設定としても勿論構わない。【０１０９】
（７）上記した実施形態１〜３では、支持ピンが隣り合う冷陰極管の間の中央に配されるものを示したが、隣り合う冷陰極管の間の中央から偏心した位置に支持ピンを配するようにしてもよい。【０１１０】
（８）上記した各実施形態では、支持ピンが隣り合う光源の間に配されるものを示したが、支持ピンが光源の直上位置に配されるもの、つまり支持ピンと光源とが平面視重畳する配置としたものも本発明に含まれる。【０１１１】
（９）上記した各実施形態以外にも、シャーシにおける支持部材の設置位置や設置数は適宜に変更可能である。また、支持ピンの具体的な形状や本体部における設置本数などは適宜に変更可能である。また、上記した実施形態１〜３に示した支持部材において、光源保持部の具体的な形状や設置数は適宜に変更可能である。【０１１２】
（１０）上記した各実施形態では、シャーシに対する支持部材の取付構造として差込式の取付部を採用したものを示したが、取付構造としてスライド式を採用してもよい。このスライド式の取付構造とは、取付部をフック形状とし、本体部をシャーシの底板に向けて押し込んでから、本体部を底板に沿ってスライドさせることで、取付孔の縁部に対して取付部のフック状部を係止させるようなものを言う。【０１１３】
（１１）上記した各実施形態では、光源（冷陰極管、ＬＥＤ）の配列ピッチについて、中央側から端側に向けて連続的に漸次広くなる設定としたものを示したが、光源の配列ピッチが中央側から端側に向けて段階的に逐次広くなる設定としたものも本発明に含まれる。【０１１４】
（１２）上記した実施形態１〜３では、冷陰極管の長さ寸法がシャーシの一辺に相当する大きさとしたものを示したが、冷陰極管の長さ寸法をシャーシの各辺よりも短くするとともに、シャーシの面内において二次元的に並列配置するようにしたものも本発明に含まれる。その場合、実施形態４と同様に、冷陰極管の配列ピッチを中央側ほど狭く、外周端側ほど広くし、二次元的に変化させるようにすることも可能である。【０１１５】
（１３）上記した実施形態１〜３では、冷陰極管の端部のゴムホルダを装着したものを例示したが、冷陰極管の端部に口金またはアウタリードを設け、その口金またはアウタリードを、シャーシに設置したコネクタの端子に接触させることで、インバータ基板からの電力供給を可能とした構成のバックライト装置にも本発明は適用可能である。【０１１６】
（１４）上記した実施形態１〜３では、蛍光管の一種として冷陰極管を用いたものを例示したが、例えば熱陰極管など他の種類の蛍光管を用いることも勿論可能である。【０１１７】
（１５）上記した実施形態１〜３では、線状をなす光源として蛍光管である冷陰極管を用いたものを示したが、蛍光管以外にも、例えば水銀ランプやキセノンランプなどの放電管を用いることも可能である。また、線状をなす光源の他の例としては、棒状の基材の外周面にＬＥＤを多数分散設置するようにしたものが挙げられる。【０１１８】
（１６）上記した実施形態４では、点状をなす光源としてＬＥＤを用いたものを示したが、他の種類の点状をなす光源を用いることも勿論可能である。【０１１９】
（１７）上記した各実施形態では、線状をなす光源または点状をなす光源のいずれか一方を用いたものを示したが、線状をなす光源及び点状をなす光源を混在させたものも本発明に含まれる。【０１２０】
（１８）上記した各実施形態では、線状をなす光源または点状をなす光源を用いたものを示したが、面状をなす光源を複数並列配置するようにしたものも本発明に含まれる。【０１２１】
（１９）上記した各実施形態では、常温環境下において光学部材がほぼ真っ直ぐな形状とされるものを示したが、常温環境下において光源側に凸に反る形状の光学部材を用いることも可能である。その場合、熱膨張が生じる前の段階から各支持ピンの突出先端部を拡散板に当接させるような設定とすることも可能である。【０１２２】
（２０）上記した各実施形態では、レンズシートの集光構造として円弧状の光出射面を有するシリンドリカルレンズを用いたものを示したが、具体的な集光構造は適宜に変更可能である。例えば、図２４に示すように、断面形状が三角形で一対の光出射面を有するレンズ３０を用いたものも本発明に含まれる。それ以外にも、図２５に示すように、半球状をなすレンズ３１を二次元的に並列配置したものも本発明に含まれる。【０１２３】
（２１）上記した各実施形態では、集光構造としてシリンドリカルレンズを備えたレンズシートを用いたものを示したが、例えば、集光構造としてマイクロレンズを備えたマイクロレンズシートを用いることもできる。それ以外にも、例えば、基材の表面に拡散材を多数設置してなる拡散シートを用いることも可能である。【０１２４】
（２２）上記した各実施形態以外にも、集光構造を持つ光学部材の種類は、適宜に変更可能である。具体的には、レンチキュラーレンズを有するレンズシートと拡散板とを表裏に積層し、レンズシートと拡散板との間において、レンチキュラーレンズの集光領域に対応して空気層を、レンズの非集光領域に対応して反射層を配置したもの構成の光学部材を用いることができる。【０１２５】
（２３）上記した実施形態１〜３では、レンズシートのシリンドリカルレンズの軸方向と、冷陰極管の軸方向とが一致する配置のものを示したが、シリンドリカルレンズの軸方向と、冷陰極管の軸方向とが直交する配置としたものも本発明に含まれる。【０１２６】
（２４）上記した各実施形態では、集光構造が異方性を有するレンズシートを用いたものを示したが、集光構造が異方性を有さないタイプの光学シートを用いることも可能である。集光構造が異方性を有さないタイプの光学シートとしては、図２５に示される、半球状をなすレンズを二次元的に並列配置したものや、基材の表面に拡散材を多数設置してなる拡散シートが挙げられる。【０１２７】
（２５）上記した各実施形態では、集光構造を有するレンズシートを用いたものを示したが、集光構造を有する光学部材を用いないものも本発明に含まれる。【０１２８】
（２６）上記した各実施形態以外にも、光学部材の使用枚数や種類については適宜に変更可能である。【０１２９】
（２７）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【０１３０】
（２８）上記した各実施形態では、表示パネルとして液晶パネルを用いた液晶表示装置を例示したが、他の種類の表示パネルを用いた表示装置にも本発明は適用可能である。【０１３１】
（２９）上記した各実施形態では、チューナーを備えたテレビ受信装置を例示したが、チューナーを備えない表示装置にも本発明は適用可能である。
【図１】
2010089929.tif 000003
【図２】
2010089929.tif 000004
【図３】
2010089929.tif 000005
【図４】
2010089929.tif 000006
【図５】
2010089929.tif 000007
【図６】
2010089929.tif 000008
【図７】
2010089929.tif 000009
【図８】
2010089929.tif 000010
【図９】
2010089929.tif 000011
【図１０】
2010089929.tif 000012
【図１１】
2010089929.tif 000013
【図１２】
2010089929.tif 000014
【図１３】
2010089929.tif 000015
【図１４】
2010089929.tif 000016
【図１５】
2010089929.tif 000017
【図１６】
2010089929.tif 000018
【図１７】
2010089929.tif 000019
【図１８】
2010089929.tif 000020
【図１９】
2010089929.tif 000021
【図２０】
2010089929.tif 000022
【図２１】
2010089929.tif 000023
【図２２】
2010089929.tif 000024
【図２３】
2010089929.tif 000025
【図２４】
2010089929.tif 000026
【図２５】
2010089929.tif 000027
【国際調査報告】
2010089929.tif 000028
2010089929.tif 000029
2010089929.tif 000030
2010089929.tif 000031